(57)【要約】【課題】  非常時に建物内の避難困難者の避難行動を支援するエレベータシステム、およびこれに利用するエレベータ制御装置、エレベータ制御方法を提供する。【解決手段】  実施形態によればエレベータシステムのエレベータ制御装置は、避難困難者情報記録部と運転制御部とを備える。避難困難者情報記録部は、建物内の各階床のエレベータ乗場に設置された信号受信機のいずれかにおいて、対応するエレベータ乗場にいる利用者の属性情報として、避難時にエレベータの使用を必要とする避難困難者であることを示す属性情報が取得されると、該当階に避難困難者がいることを示す避難困難者情報を記録する。運転制御部は、建物内の異常検知センサで異常が検知されたときに、現在乗りかごがある階床に対応する避難困難者情報が避難困難者情報記録部に記録されていれば、乗りかごを、当該階床で通常運転時よりも長い時間戸開させた後、予め設定された非常時運転に移行する。【選択図】図１
2017218286.tif 000002
【特許請求の範囲】
【請求項１】
建物内の各階床のエレベータ乗場に設置され、対応するエレベータ乗場にいる利用者の属性情報を取得する信号受信機と、
前記建物内で発生した異常を検知する異常検知センサと、
前記信号受信機のいずれかで、該当する利用者が、避難時にエレベータの使用を必要とする避難困難者であることを示す属性情報が取得されると、該当階に避難困難者がいることを示す避難困難者情報を記録する避難困難者情報記録部と、
前記異常検知センサで異常が検知されたときに、現在乗りかごがある階床に対応する避難困難者情報が前記避難困難者情報記録部に記録されていれば、前記乗りかごを、当該階床で通常運転時よりも長い時間戸開させた後、予め設定された非常時運転に移行する運転制御部と
を備えることを特徴とするエレベータシステム。
【請求項２】
建物内の各階床のエレベータ乗場に設置された信号受信機のいずれかにおいて、対応するエレベータ乗場にいる利用者の属性情報として、避難時にエレベータの使用を必要とする避難困難者であることを示す属性情報が取得されると、該当階に避難困難者がいることを示す避難困難者情報を記録する避難困難者情報記録部と、
前記建物内の異常検知センサで異常が検知されたときに、現在乗りかごがある階床に対応する避難困難者情報が前記避難困難者情報記録部に記録されていれば、前記乗りかごを、当該階床で通常運転時よりも長い時間戸開させた後、予め設定された非常時運転に移行する運転制御部と
を備えることを特徴とするエレベータ制御装置。
【請求項３】
前記運転制御部は、前記異常検知センサで異常が検知されて前記乗りかごを戸開させたときに、避難困難者がいることを示す報知情報を、当該階床の出力装置から出力させる
ことを特徴とする請求項２に記載のエレベータ制御装置。
【請求項４】
前記運転制御部は、前記異常検知センサで異常が検知されて前記乗りかごを戸開させた後、当該階床の利用者により乗り込みが完了したことが通知されると前記乗りかごを戸閉させて、前記非常時運転に移行する
ことを特徴とする請求項２または３に記載のエレベータ制御装置。
【請求項５】
前記避難困難者情報記録部は、階床ごとの避難困難者数を記録し、
前記運転制御部は、前記異常検知センサで異常が検知されたときに、現在乗りかごがある階床に対応する避難困難者情報が前記避難困難者情報記録部に記録されていれば、当該階床の避難困難者数を取得し、取得した避難困難者数に応じた報知情報を当該階床に設置された出力装置から出力させる
ことを特徴とする請求項２〜４いずれか１項に記載のエレベータ制御装置。
【請求項６】
前記避難困難者情報記録部は、前記避難困難者情報として当該利用者の属性情報を記録し、
前記運転制御部は、利用者の属性情報ごとに予め設定された、避難誘導のための報知情報およびエレベータによる避難の優先度を示す情報を保持し、前記異常検知センサで異常が検知されたときに、現在乗りかごがある階床に対応する避難困難者情報が前記避難困難者情報記録部に記録されていれば、該当する避難困難者の属性情報のうち、前記優先度の高い属性情報に応じた報知情報を当該階床に設置された出力装置から出力させる
ことを特徴とする請求項２〜５いずれか１項に記載のエレベータ制御装置。
【請求項７】
前記運転制御部は、前記異常検知センサで異常が検知されたときに、既に登録された乗場呼びに基づいて決定した次の着床階に対応する避難困難者情報が前記避難困難者情報記録部に記録されていないとき、または、前記次の着床階が災害により着床不可能であると判定したときには、当該乗場呼びをキャンセルする
ことを特徴とする請求項２〜６いずれか１項に記載のエレベータ制御装置。
【請求項８】
建物内の各階床のエレベータ乗場に設置された信号受信機のいずれかにおいて、対応するエレベータ乗場にいる利用者の属性情報として、避難時にエレベータの使用を必要とする避難困難者であることを示す属性情報が取得されると、該当階に避難困難者がいることを示す避難困難者情報を記録し、
前記建物内の異常検知センサで異常が検知されたときに、現在乗りかごがある階床に対応する避難困難者情報が記録されていれば、前記乗りかごを、当該階床で通常運転時よりも長い時間戸開させた後、予め設定された非常時運転に移行する
ことを特徴とするエレベータ制御方法。
【発明の詳細な説明】
【技術分野】
【０００１】
本発明の実施形態は、エレベータシステム、およびこれに利用するエレベータ制御装置、エレベータ制御方法に関する。
【背景技術】
【０００２】
従来、エレベータには、地震や火災等の発生を検知したときに非常時の運転モードに移行し、乗りかごを最寄階または予め設定された避難階に停止させる機能が搭載されている。この機能が搭載されることにより、建物内で非常事態が発生したときに、利用者が乗りかご内に閉じ込められる事態が回避され、利用者は適切に避難行動をとることができる。
【先行技術文献】
【特許文献】
【０００３】
【特許文献１】特開２００７−６２８６１号公報
【特許文献２】特開２０１０−３０６９５号公報
【発明の概要】
【発明が解決しようとする課題】
【０００４】
エレベータの利用者の中には、車椅子利用者やお年寄り、子供など、階段の利用が困難であり、非常時の避難行動にエレベータの使用が不可欠な人（以下、「避難困難者」と称する）が含まれている場合がある。しかし、上述した非常時の運転では、利用者に避難困難者が含まれているか否かは考慮されていないため、避難困難者が適切に避難行動をとることができない場合があるという問題があった。例えば、通常利用者で乗りかごが混み合い、車椅子利用者が乗り込めない等の事態が発生するおそれがあった。
【０００５】
本発明は上記事情に鑑みてなされたものであり、非常時に建物内の避難困難者の避難行動を支援するエレベータシステム、およびこれに利用するエレベータ制御装置、エレベータ制御方法の提供を目的とする。
【課題を解決するための手段】
【０００６】
上記目的を達成するための実施形態によればエレベータシステムのエレベータ制御装置は、避難困難者情報記録部と運転制御部とを備える。避難困難者情報記録部は、建物内の各階床のエレベータ乗場に設置された信号受信機のいずれかにおいて、対応するエレベータ乗場にいる利用者の属性情報として、避難時にエレベータの使用を必要とする避難困難者であることを示す属性情報が取得されると、該当階に避難困難者がいることを示す避難困難者情報を記録する。運転制御部は、建物内の異常検知センサで異常が検知されたときに、現在乗りかごがある階床に対応する避難困難者情報が避難困難者情報記録部に記録されていれば、乗りかごを、当該階床で通常運転時よりも長い時間戸開させた後、予め設定された非常時運転に移行する。
【図面の簡単な説明】
【０００７】
【図１】第１〜第５実施形態によるエレベータシステムの構成を示す全体図。
【図２】第１、第２、第４、第５実施形態によるエレベータシステムのエレベータ制御装置において通常運転が実行されるときの動作を示すフローチャート。
【図３】第１実施形態によるエレベータシステムのエレベータ制御装置において非常運転が実行されるときの動作を示すフローチャート。
【図４】第２実施形態によるエレベータシステムのエレベータ制御装置において非常運転が実行されるときの動作を示すフローチャート。
【図５】第３実施形態によるエレベータシステムのエレベータ制御装置において通常運転が実行されるときの動作を示すフローチャート。
【図６】第３実施形態によるエレベータシステムのエレベータ制御装置において非常運転が実行されるときの動作を示すフローチャート。
【図７】第４実施形態によるエレベータシステムのエレベータ制御装置において非常運転が実行されるときの動作を示すフローチャート。
【図８】第５実施形態によるエレベータシステムのエレベータ制御装置において非常運転が実行されるときの動作を示すフローチャート。
【発明を実施するための形態】
【０００８】
《第１実施形態》
〈第１実施形態によるエレベータシステムの構成〉
本発明の第１実施形態によるエレベータシステムの構成について、図１を参照して説明する。本実施形態によるエレベータシステム１Ａは、非常時の避難の際にエレベータの使用が不可欠な避難困難者の避難行動を支援するためのシステムであり、ｎ階建ての建物内の昇降路上部の巻上げ機１０から吊り下げられた乗りかご２０と、利用者が携帯する携帯端末３０と、建物内の１階〜ｎ階のエレベータ乗場にそれぞれ設置された乗場操作盤４０−１〜４０−ｎ、信号受信機５０−１〜５０−ｎ、スピーカ６０−１〜６０―ｎ、およびアンプ７０−１〜７０−ｎと、建物内のいずれかの場所に設置された異常検知センサ８０と、昇降路上部に設置されたエレベータ制御装置９０とを備える。
【０００９】
巻上げ機１０は、乗りかご２０が接続されたロープを巻き上げるモータ１１と、モータ１１を動作させるための信号を発生させるパルスジェネレータ１２とを有する。乗りかご２０は、利用者が乗降する際に開状態になるかご扉２１と、乗りかご２０の上部に設置され、かご扉２１を開閉させるためのドアモータ２２およびドアモータ制御装置２３と、乗りかご２０内の利用者により行先階を指定する操作が行われると、当該操作情報をエレベータ制御装置９０に送信する行先階登録装置２４とを有する。携帯端末３０は、利用者が携帯するスマートデバイスや鍵に内蔵され、当該利用者の属性情報、例えば行先階情報や、車椅子利用者であることを示す情報、高齢者であることを示す情報等を記憶する。そして、これらの記憶した属性情報や、行先階に移動するための乗場呼び登録要求を、利用者がいる階床の信号受信機５０−１〜５０−ｎに無線送信する。乗場操作盤４０−１〜４０−ｎはそれぞれ、上方向操作ボタン４１−１〜４１−ｎと、下方向操作ボタン４２−１〜４２−ｎとを有し、利用者によりいずれかのボタンが操作されると、当該操作情報をエレベータ制御装置９０に送信する。信号受信機５０−１〜５０−ｎは、利用者の携帯端末３０から無線送信された情報を受信し、エレベータ制御装置９０に送信する。スピーカ６０−１〜６０−ｎは、エレベータ制御装置９０から送信されアンプ７０−１〜７０−ｎで増幅されたアナウンス情報を出力する。異常検知センサ８０は、地震感知器や火災検知器等であり、当該建物内で発生した地震や火災等の異常事態を検知する。
【００１０】
エレベータ制御装置９０は、設計情報記憶部９１と、信号入出力部９２と、通常運転制御部９３と、避難困難者情報記録部９４と、非常時運転制御部９５と、避難困難者判定部９６とを有する。設計情報記憶部９１は、エレベータシステム１Ａ内で実行される通常運転の運転内容、および当該建物内で異常事態が発生した際に実行される非常時運転の運転内容として設計された情報を記憶する。信号入出力部９２は、巻上げ機１０、乗りかご２０、乗場操作盤４０−１〜４０−ｎ、信号受信機５０−１〜５０−ｎ、スピーカ６０−１〜６０−ｎ（アンプ７０−１〜７０−ｎ）、および異常検知センサ８０から送信された信号を入力するとともに、これらの装置に信号を出力する。通常運転制御部９３は、異常検知センサ８０で異常事態が検知されていないときに、設計情報記憶部９１に記憶された情報に基づいて通常運転を行う。例えば、乗場操作盤４０−１〜４０−ｎの操作情報や信号受信機５０−１〜５０−ｎにおいて受信した情報に基づいて乗場呼びを登録し、行先階登録装置２４の操作情報に基づいてかご呼びを登録するとともに、これらの乗場呼びおよびかご呼びに応答するように運転を行う。避難困難者情報記録部９４は、通常運転中にいずれかの信号受信機５０−１〜５０−ｎから避難困難者である利用者の属性情報が取得されると、当該属性情報と該当する階床の情報とを対応付けて、該当階に避難困難者がいることを示す避難困難者情報として記憶する。記録した情報は、対応する乗場呼びへの応答が完了したときに削除する。非常時運転制御部９５は、異常事態が検知されたときに、現在乗りかご２０がある階床に避難困難者がいないと判定すると、直ちに非常時運転に移行する。また、異常検知センサ８０で異常事態が検知されたときに、現在乗りかご２０がある階床に避難困難者がいると判定すると、避難困難者がいることを報知するアナウンス情報を該当する階床のスピーカ６０−１〜６０−ｎから出力させるとともに、乗りかご２０を当該階床で通常運転時や非常時運転時よりも長い時間戸開させ、その後非常時運転に移行する。避難困難者判定部９６は、非常時運転制御部９５からの要求により、現在乗りかご２０がある階床に対応する避難困難者情報が避難困難者情報記録部９４に記録されているか否かを判定する。
【００１１】
〈第１実施形態によるエレベータシステムの動作〉
次に、本実施形態によるエレベータシステム１Ａの動作について、図２および３のフローチャートを参照して説明する。図２は、異常検知センサ８０において異常事態が検出されていないときにエレベータ制御装置９０で実行される通常運転中の処理を示し、図３は、異常検知センサ８０において異常事態が検出されたときに実行される非常時運転中の処理を示す。
【００１２】
エレベータシステム１Ａの通常運転中は（Ｓ１）、利用者がいずれかの階床の乗場操作盤４０−１〜４０−ｎの操作ボタン４１−１〜４１−ｎ、４２−１〜４２−ｎを操作すると、該当する操作情報がエレベータ制御装置９０に送信され、該当階床、方向の乗場呼びが通常運転制御部９３に登録される。また、利用者が乗りかご２０内の行先階登録装置２４でいずれかの階床を指定する操作を行うと、該当する操作情報がエレベータ制御装置９０に送信され、当該階床のかご呼びが通常運転制御部９３に登録される。また、利用者が携帯端末３０を用いて乗場呼び操作を行うと、携帯端末３０から現在利用者がいる階床の信号受信機（例えば１階の信号受信機５０−１）に、当該利用者の属性情報および行先階情報とともに乗場呼び登録要求が送信される。信号受信機５０−１で受信された情報はエレベータ制御装置９０に送信され、信号入出力部９２を介して通常運転制御部９３に該当階床、方向の乗場呼びが登録される。
【００１３】
そして、通常運転制御部９３により、登録された乗場呼びおよびかご呼びに応答して乗りかご２０が昇降するように、巻上げ機１０等に制御指示が送信される。巻上げ機１０では、受信された制御指示に基づいてパルスジェネレータ１２によりパルス信号が出力され、モータ１１が駆動される。
【００１４】
また、利用者が携帯端末３０を用いて乗場呼び操作を行い、エレベータ制御装置９０の信号入出力部９２においていずれかの信号受信機５０−１〜５０−ｎから乗場呼び登録要求が受信されたときには（Ｓ２の「YES」）、上述したように乗場呼びが登録される一方で、当該乗場呼び登録要求とともに受信された利用者の属性情報に基づいて当該利用者が避難困難者であるか否かが判定される（Ｓ３）。本実施形態においては、利用者の属性情報に車椅子利用者であることを示す情報または高齢者であることを示す情報が含まれていた場合に、当該利用者が避難困難者であると判定するものとする。
【００１５】
ここで利用者が避難困難者であると判定されると（Ｓ３の「YES」）、当該利用者に関する避難困難者情報が避難困難者情報記録部９４に既に記録されているか否か判定される（Ｓ４）。記録されていなければ（Ｓ４の「YES」）、当該利用者の属性情報と該当する階床（属性情報が受信された信号受信機の設置階）の情報とを対応付け、該当階に避難困難者がいることを示す避難困難者情報として避難困難者情報記録部９４に記憶される（Ｓ５）。
【００１６】
また、当該利用者に関する避難困難者情報が既に記録されていれば（Ｓ４の「NO」）、先に記録された避難困難者情報、例えば今回とは異なる階床情報が対応付けられた避難困難者情報を削除し（Ｓ６）、今回新たに取得された情報に基づく避難困難者情報が記録される（Ｓ７）。記録された避難困難者情報は、当該利用者に関する乗場呼びへの応答が完了すると（Ｓ８の「YES」）、避難困難者情報記録部９４から削除される（Ｓ９）。
【００１７】
通常運転実行中は、避難困難者である利用者から携帯端末３０を用いて乗場呼び登録操作が行われる都度、上述したように該当する避難困難者情報が記録され、それぞれの乗場呼びに対して応答が完了する都度、該当する情報が削除される。
【００１８】
通常運転の実行中に、当該建物内で地震や火事等の異常事態が発生したときの処理について説明する。地震や火事等の異常事態が発生すると、異常検知センサ８０で検知され（Ｓ１１の「YES」）、異常検知信号がエレベータ制御装置９０の信号入出力部９２で取得される。信号入出力部９２で異常検知信号が取得されると（Ｓ１１の「YES」）、通常運転制御部９３による通常運転から非常時運転制御部９５による非常時運転に切り替えられる（Ｓ１２）。
【００１９】
非常時運転に切り替えられると、非常時運転制御部９５から避難困難者判定部９６に対し、現在乗りかご２０がある階床に避難困難者がいるか否かの判定処理が要求される。避難困難者判定部９６では、非常時運転制御部９５からの要求に対し、現在乗りかご２０がある階床に対応する避難困難者情報が避難困難者情報記録部９４に記録されているか否かが判定される（Ｓ１３）。判定の結果、現在乗りかご２０がある階床に対応する避難困難者情報が記録されているときには、当該階に避難困難者がいると判定され（Ｓ１３の「YES」）、判定結果が非常時運転制御部９５に出力される。
【００２０】
非常時運転制御部９５では、現在乗りかご２０がある階床に避難困難者がいることを示す判定結果が取得されると、信号入出力部９２を介して、避難困難者がいることを報知するアナウンス情報が該当階のスピーカ６０−１〜６０−ｎに送信される。該当するスピーカ６０−１〜６０−ｎでは、受信されたアナウンス情報が出力される（Ｓ１４）。
【００２１】
また、当該階床で現在乗りかご２０のかご扉２１が戸閉中であるときには非常時運転制御部９５により戸開され（Ｓ１５の「YES」、Ｓ１６）、設計情報記憶部９１に記憶された、避難困難者に対応した戸開時間が経過すると戸閉される（Ｓ１７の「YES」、Ｓ１８）。ここで、避難困難者に対応した戸開時間は、通常運転時の戸開時間や避難困難者がいない階床における非常時運転の際の戸開時間よりも長い時間で設定されている。乗りかご２０のかご扉２１の戸開閉は、非常時運転制御部９５から信号入出力部９２を介してドアモータ制御装置２３に制御信号が送信されることによりドアモータ２２が駆動されて実行される。
【００２２】
また、ステップＳ１３において、現在乗りかご２０がある階床に避難困難者がいないと判定されたときには（Ｓ１３の「NO」）、当該階床で現在乗りかご２０のかご扉２１が戸閉中であれば戸開され（Ｓ１９の「YES」、Ｓ２０）、非常時運転時の戸開時間が経過すると戸閉される（Ｓ２１の「YES」、Ｓ２２）。ここで、非常時運転時の戸開時間は例えば、なるべく早く非難階等に移動させるために通常運転時よりも短い時間で設定されている。
【００２３】
戸閉後、予め設定された非常時運転により最寄階や避難階に着床させる制御が行われる（Ｓ２３）。そして、異常事態が解消されれば通常運転に切り替えられる（Ｓ２４の「YES」、Ｓ２５）。
【００２４】
以上の第１実施形態によれば、災害によりエレベータシステム内が非常時運転に切り替わった際に、乗りかごがある階に避難困難者がいるか否かを迅速に判定し、避難困難者がいるときには戸開時間を長くするとともに避難困難者の存在を周囲の利用者に報知するアナウンス情報を出力することで、避難困難者が優先的に乗りかごに乗り込めるようにするための支援をすることができる。
【００２５】
《第２実施形態》
〈第２実施形態によるエレベータシステムの構成〉
本発明の第２実施形態によるエレベータシステム１Ｂの構成は、第１実施形態において説明したエレベータシステム１Ａの構成と同様であるため、同一機能を有する部分の詳細な説明は省略する。
【００２６】
本実施形態においてエレベータ制御装置９０の非常時運転制御部９５は、異常検知センサ８０で異常が検知され、現在乗りかご２０がある階床に避難困難者がいると判定して乗りかご２０を戸開した後、当該利用者の携帯端末３０から信号受信機５０−１〜５０−ｎのいずれかを介して、乗りかご２０への乗り込みが完了したことを示す通知が取得されると、避難困難者に対応した戸開時間の経過を待たずに乗りかご２０を戸閉して、非常時運転に移行する。
【００２７】
〈第２実施形態によるエレベータシステムの動作〉
本実施形態において、エレベータシステム１Ｂで通常運転中に実行される処理は、第１実施形態で説明したステップＳ１〜Ｓ２５の処理と同様であるため、詳細な説明は省略する。
【００２８】
本実施形態において、当該建物内で異常事態が発生したときにエレベータシステム１Ｂで実行される処理について、図４のフローチャートを参照して説明する。図４において、ステップＳ３１〜Ｓ３６の処理は、第１実施形態において説明したステップＳ１１〜Ｓ１６の処理と同様であるため、詳細な説明は省略する。
【００２９】
ステップＳ３６により乗りかご２０のかご扉２１が戸開された後、当該利用者が携帯端末３０を用いて乗りかご２０への乗り込みが完了したことを通知する操作を行うと、携帯端末３０から現在利用者がいる階床の信号受信機５０−１に、当該操作内容を示す通知情報が送信される。信号受信機５０−１で受信された通知情報はエレベータ制御装置９０に送信され、信号入出力部９２を介して非常時運転制御部９５に送出される。
【００３０】
非常時運転制御部９５において、乗りかご２０の戸開後、避難困難者に対応した戸開時間が経過する前に、当該利用者の携帯端末３０から乗りかご２０への乗り込みが完了したことを示す通知情報が取得されると（Ｓ３７の「YES」）、避難困難者に対応した戸開時間の経過を待たずに乗りかご２０が戸閉され、非常時運転に移行される（Ｓ３９、Ｓ４４）。ステップＳ３７において、避難困難者に対応した戸開時間が経過する前に、当該利用者の携帯端末３０から乗りかご２０への乗り込みが完了したことを示す通知情報が取得されなかったとき（Ｓ３７の「NO」）には、第１実施形態と同様に、避難困難者に対応した戸開時間が経過したときに戸閉される（Ｓ３８の「YES」、Ｓ３９）。
【００３１】
ステップＳ３３において、現在乗りかご２０がある階床に避難困難者がいないと判定されたときに実行されるステップＳ４０〜Ｓ４６の処理は、第１実施形態で説明したステップＳ１９〜Ｓ２５の処理と同様であるため、詳細な説明は省略する。
【００３２】
以上の第２実施形態によれば、災害によりエレベータシステム内が非常時運転に切り替わった際に、乗りかごがある階に避難困難者がいるか否かを迅速に判定し、避難困難者がいるときには戸開時間を長くして安全に乗り込めるようにする一方で、利用者が乗り込みを完了したことを検知したときには直ちに戸閉して昇降を開始させることで、迅速な避難行動を誘導することができる。
【００３３】
《第３実施形態》
〈第３実施形態によるエレベータシステムの構成〉
本発明の第３実施形態によるエレベータシステム１Ｃの構成は、第１実施形態において説明したエレベータシステム１Ａの構成と同様であるため、同一機能を有する部分の詳細な説明は省略する。
【００３４】
本実施形態においてエレベータ制御装置９０の避難困難者情報記録部９４は、記録している避難困難者情報数を階床ごとに計数した階床別避難困難者数を記録する。そして、信号受信機５０−１〜５０−ｎのいずれかから、現在記録していない避難困難者に関する属性情報が取得されると、該当する階床の避難困難者数を加算する。また、既に記録した避難困難者に関する新たな避難困難者情報が取得されると、先に記録した避難困難者情報に対応する階床の避難困難者数を減算するとともに、新たに取得した避難困難者情報に対応する階床の避難困難者数を加算する。
【００３５】
また非常時運転制御部９５は、避難困難者がいる階床の乗場で出力させるための避難困難者数ごとのアナウンス情報を保持している。そして、異常検知センサ８０で異常事態が検知されたときに、現在乗りかご２０がある階床に避難困難者がいると判定すると、現在の当該階床の避難困難者数に応じたアナウンス情報を選択し、該当階のスピーカ６０−１〜６０−ｎから出力させる。
【００３６】
〈第３実施形態によるエレベータシステムの動作〉
本実施形態によるエレベータシステム１Ｃの動作について、図５および６のフローチャートを参照して説明する。図５は、異常検知センサ８０において異常事態が検出されていないときにエレベータ制御装置９０で実行される通常運転中の処理を示し、図３は、異常検知センサ８０において異常事態が検出されたときに実行される非常時運転中の処理を示す。
【００３７】
エレベータシステム１Ｃにおいて通常運転中に実行されるステップＳ５１〜Ｓ５５で実行される処理は、第１実施形態において説明したステップＳ１〜Ｓ５の処理と同様であるため、詳細な説明は省略する。ステップＳ５５において、現在記録のない利用者に関する避難困難者情報が取得されて記録されると、避難困難者情報記録部９４に記録されている当該階床の避難困難者数が加算される（Ｓ５６）。また、ステップＳ５７において、現在記録のある利用者に関する新たな避難困難者情報が取得されて先に記録した情報が削除されると、当該先の情報内の階床に関する避難困難者数が減算される（Ｓ５８）。また、現在記録のある利用者に関する新たな避難困難者情報が取得されて当該新たな情報が記録されると（Ｓ５９）、当該新たに記録された情報内の階床に関する避難困難者数が加算される（Ｓ６０）。以上の処理により、通常運転中に各階床の避難困難者数が都度更新されて記録される。
【００３８】
そして、当該建物内で異常事態が発生し、エレベータシステム１Ｃ内が通常運転から非常時運転に切り替えられ（Ｓ７１、Ｓ７２）、現在乗りかご２０がある階床に避難困難者がいると判定されると（Ｓ７３の「YES」）、非常時運転制御部９５により、当該階床の避難困難者数に応じたアナウンス情報、例えば「避難困難者が２人います」が選択され、信号入出力部９２を介して該当階のスピーカ６０−１〜６０−ｎに送信される。該当するスピーカ６０−１〜６０−ｎでは、受信されたアナウンス情報が出力される（Ｓ７４）。アナウンス情報の出力後に実行されるステップＳ７５〜Ｓ８５の処理は、第１実施形態で説明したステップＳ１５〜Ｓ２５の処理と同様であるため、詳細な説明は省略する。
【００３９】
以上の第３実施形態によれば、災害によりエレベータシステム内が非常時運転に切り替わった際に、乗りかごがある階に避難困難者がいるか否かを迅速に判定し、避難困難者がいるときにはその避難困難者数に応じたアナウンス情報を出力することで、一部の避難困難者が乗り込んだことにより他の避難困難者が周囲の利用者に気づかれずに乗場の取り残されることが回避され、さらに高い精度で避難行動の支援を誘導することができる。
【００４０】
《第４実施形態》
〈第４実施形態によるエレベータシステムの構成〉
本発明の第４実施形態によるエレベータシステム１Ｄの構成は、第１実施形態において説明したエレベータシステム１Ａの構成と同様であるため、同一機能を有する部分の詳細な説明は省略する。
【００４１】
本実施形態においてエレベータ制御装置９０の非常時運転制御部９５は、避難困難者の属性情報ごとに予め設定された、避難誘導のためのアナウンス情報を保持するとともに、エレベータによる避難の優先度を示す情報を保持している。そして、異常検知センサ８０で異常事態が検知されたときに、現在乗りかご２０がある階床に避難困難者がいると判定すると、当該階床の避難困難者のうち、エレベータによる避難の優先度が最も高い属性情報を有する避難困難者に応じたアナウンス情報を選択し、該当階のスピーカ６０−１〜６０−ｎから出力させる。
【００４２】
〈第４実施形態によるエレベータシステムの動作〉
本実施形態において、エレベータシステム１Ｄで通常運転中に実行される処理は、第１実施形態で説明したステップＳ１〜Ｓ２５の処理と同様であるため、詳細な説明は省略する。
【００４３】
本実施形態において、当該建物内で異常事態が発生したときにエレベータシステム１Ｄで実行される処理について、図７のフローチャートを参照して説明する。異常事態が発生し、エレベータシステム１Ｄ内が通常運転から非常時運転に切り替えられ（Ｓ９１、Ｓ９２）、現在乗りかご２０がある階床に避難困難者がいると判定されると（Ｓ９２の「YES」）、非常時運転制御部９５により、避難困難者情報記録部９４に記録されている当該階床の避難困難者情報に基づいて、当該階床の避難困難者のうちエレベータによる避難の優先度が最も高い属性情報を有する避難困難者に応じたアナウンス情報、例えば「車椅子利用者がいます」が選択され、信号入出力部９２を介して該当階のスピーカ６０−１〜６０−ｎに送信される。該当するスピーカ６０−１〜６０−ｎでは、受信されたアナウンス情報が出力される（Ｓ９４）。アナウンス情報の出力後に実行されるステップＳ９５〜Ｓ１０５の処理は、第１実施形態で説明したステップＳ１５〜Ｓ２５の処理と同様であるため、詳細な説明は省略する。
【００４４】
以上の第４実施形態によれば、災害によりエレベータシステム内が非常時運転に切り替わった際に、乗りかごがある階に避難困難者がいるか否かを迅速に判定し、避難困難者がいるときにはその避難困難者のうちエレベータによる避難の優先度が最も高い避難困難者に応じたアナウンス情報を出力することで、適切な避難行動の支援を誘導することができる。
【００４５】
《第５実施形態》
〈第５実施形態によるエレベータシステムの構成〉
本発明の第５実施形態によるエレベータシステム１Ｅの構成は、第１実施形態において説明したエレベータシステム１Ａの構成と同様であるため、同一機能を有する部分の詳細な説明は省略する。
【００４６】
本実施形態においてエレベータ制御装置９０の非常時運転制御部９５は、非常時運転切り替えると、現在乗りかごがいる階で戸開した後、登録された乗場呼びに応答しながら避難階に移動する。乗場呼びに応答する際、次の着床階に対応する避難困難者情報が避難困難者情報記録部９４に記録されておらず避難困難者がいないと判定したとき、または、次の着床階が災害により着床不可能であると判定したときには、当該乗場呼びをキャンセルする。
【００４７】
〈第５実施形態によるエレベータシステムの動作〉
本実施形態において、エレベータシステム１Ｅで通常運転中に実行される処理は、第１実施形態で説明したステップＳ１〜Ｓ２５の処理と同様であるため、詳細な説明は省略する。
【００４８】
本実施形態において、当該建物内で異常事態が発生したときにエレベータシステム１Ｅで実行される処理について、図８のフローチャートを参照して説明する。図８において、ステップＳ１１１〜Ｓ１２２の処理は、第１実施形態において説明したステップＳ１１〜Ｓ２２の処理と同様であるため、詳細な説明は省略する。
【００４９】
ステップＳ１１８またはＳ１２２により乗りかご２０のかご扉２１が戸閉された後、非常時運転制御部９５により、既に登録された乗場呼びに基づいて次の着床予定階が決定される。そして、次の着床予定階に対応する避難困難者情報が避難困難者情報記録部９４に記録されておらず避難困難者がいないと判定したときには、当該乗場呼びがキャンセルされる。また、次の着床予定階が災害により着床不可能であるとき、例えば火災により煙が充満しているとき等は、当該乗場呼びがキャンセルされる（Ｓ１２３の「YES」、Ｓ１２４）。
【００５０】
乗場呼びがキャンセルされると、乗りかご２０が着床しないことを報知するアナウンス情報が信号入出力部９２を介して該当階のスピーカ６０−１〜６０−ｎに送信される。該当するスピーカ６０−１〜６０−ｎでは、受信されたアナウンス情報が出力される（Ｓ１２５）。
【００５１】
その後、登録された他の乗場呼びに対してステップＳ１２３〜Ｓ１２５が繰り返され（Ｓ１２６の「NO」）、非常時運転により設定された最寄階や避難階に着床し（Ｓ１２６の「YES」）、異常事態が解消さると通常運転に切り替えられる（Ｓ１２７の「YES」、Ｓ１２８）。
【００５２】
以上の第５実施形態によれば、災害によりエレベータシステム内が非常時運転に切り替わり、乗りかごが現在の階床で戸開した後、乗場呼びに応答しながら避難階に移動する際に、不要または着床不可能な乗場呼びをなるべく応答前にキャンセルすることで、迅速に利用者を避難させるための運転を行うことができる。
【００５３】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００５４】
１Ａ，１Ｂ，１Ｃ，１Ｄ，１Ｅ…エレベータシステム、１０…巻上げ機、１１…モータ、１２…パルスジェネレータ、２０…乗りかご、２１…かご扉、２２…ドアモータ、２３…ドアモータ制御装置、２４…行先階登録装置、３０…携帯端末、４０−１〜４０−ｎ…乗場操作盤、４１−１〜４１−ｎ…上方向操作ボタン、４２−１〜４２−ｎ…下方向操作ボタン、５０−１〜５０−ｎ…信号受信機、６０−１〜６０−ｎ…スピーカ、７０−１〜７０−ｎ…アンプ、８０…異常検知センサ、９０…エレベータ制御装置、９１…設計情報記憶部、９２…信号入出力部、９３…通常運転制御部、９４…避難困難者情報記録部、９５…非常時運転制御部、９６…避難困難者判定部
【図１】
2017218286.tif 000003
【図２】
2017218286.tif 000004
【図３】
2017218286.tif 000005
【図４】
2017218286.tif 000006
【図５】
2017218286.tif 000007
【図６】
2017218286.tif 000008
【図７】
2017218286.tif 000009
【図８】
2017218286.tif 000010
【手続補正書】
【提出日】平成29年6月15日(2017.6.15)
【手続補正１】
【補正対象書類名】特許請求の範囲
【補正対象項目名】全文
【補正方法】変更
【補正の内容】
【特許請求の範囲】
【請求項１】
建物内の各階床のエレベータ乗場に設置され、対応するエレベータ乗場にいる利用者の属性情報を取得する信号受信機と、
前記建物内で発生した異常を検知する異常検知センサと、
前記信号受信機のいずれかで、該当する利用者が、避難時にエレベータの使用を必要とする避難困難者であることを示す属性情報が取得されると、該当階に避難困難者がいることを示す避難困難者情報を記録する避難困難者情報記録部と、
前記異常検知センサで異常が検知されたときに、現在乗りかごがある階床に対応する避難困難者情報が前記避難困難者情報記録部に記録されていないときには、直ちに非常時運転に移行し、
現在乗りかごがある階床に対応する避難困難者情報が前記避難困難者情報記録部に記録されているときには、前記エレベータの乗りかごが戸閉中であれば戸開させ、当該階床で通常運転時よりも長い時間戸開させた後、非常時運転に移行し、
前記非常時運転では、登録された乗場呼びに応答しながら予め設定された避難階に乗りかごを移動させ、既に登録された乗場呼びに基づいて決定した次の着床階に対応する避難困難者情報が前記避難困難者情報記録部に記録されていないときには、当該乗場呼びをキャンセルする運転制御部と
を備えることを特徴とするエレベータシステム。
【請求項２】
建物内の各階床のエレベータ乗場に設置された信号受信機のいずれかにおいて、対応するエレベータ乗場にいる利用者の属性情報として、避難時にエレベータの使用を必要とする避難困難者であることを示す属性情報が取得されると、該当階に避難困難者がいることを示す避難困難者情報を記録する避難困難者情報記録部と、
前記建物内の異常検知センサで異常が検知されたときに、現在乗りかごがある階床に対応する避難困難者情報が前記避難困難者情報記録部に記録されていないときには、直ちに非常時運転に移行し、
現在乗りかごがある階床に対応する避難困難者情報が前記避難困難者情報記録部に記録されているときには、前記エレベータの乗りかごが戸閉中であれば戸開させ、当該階床で通常運転時よりも長い時間戸開させた後、非常時運転に移行し、
前記非常時運転では、登録された乗場呼びに応答しながら予め設定された避難階に乗りかごを移動させ、既に登録された乗場呼びに基づいて決定した次の着床階に対応する避難困難者情報が前記避難困難者情報記録部に記録されていないときには、当該乗場呼びをキャンセルする運転制御部と
を備えることを特徴とするエレベータ制御装置。
【請求項３】
前記運転制御部は、前記異常検知センサで異常が検知されて前記乗りかごを戸開させたときに、避難困難者がいることを示す報知情報を、当該階床の出力装置から出力させる
ことを特徴とする請求項２に記載のエレベータ制御装置。
【請求項４】
前記運転制御部は、前記異常検知センサで異常が検知されて前記乗りかごを戸開させた後、当該階床の利用者により乗り込みが完了したことが通知されると前記乗りかごを戸閉させて、前記非常時運転に移行する
ことを特徴とする請求項２または３に記載のエレベータ制御装置。
【請求項５】
前記避難困難者情報記録部は、階床ごとの避難困難者数を記録し、
前記運転制御部は、前記異常検知センサで異常が検知されたときに、現在乗りかごがある階床に対応する避難困難者情報が前記避難困難者情報記録部に記録されていれば、当該階床の避難困難者数を取得し、取得した避難困難者数に応じた報知情報を当該階床に設置された出力装置から出力させる
ことを特徴とする請求項２〜４いずれか１項に記載のエレベータ制御装置。
【請求項６】
前記避難困難者情報記録部は、前記避難困難者情報として当該利用者の属性情報を記録し、
前記運転制御部は、利用者の属性情報ごとに予め設定された、避難誘導のための報知情報およびエレベータによる避難の優先度を示す情報を保持し、前記異常検知センサで異常が検知されたときに、現在乗りかごがある階床に対応する避難困難者情報が前記避難困難者情報記録部に記録されていれば、該当する避難困難者の属性情報のうち、前記優先度の高い属性情報に応じた報知情報を当該階床に設置された出力装置から出力させる
ことを特徴とする請求項２〜５いずれか１項に記載のエレベータ制御装置。
【請求項７】
建物内の各階床のエレベータ乗場に設置された信号受信機のいずれかにおいて、対応するエレベータ乗場にいる利用者の属性情報として、避難時にエレベータの使用を必要とする避難困難者であることを示す属性情報が取得されると、該当階に避難困難者がいることを示す避難困難者情報を記録し、
前記建物内の異常検知センサで異常が検知されたときに、現在乗りかごがある階床に対応する避難困難者情報が記録されていないときには、直ちに非常時運転に移行し、
現在乗りかごがある階床に対応する避難困難者情報が記録されているときには、前記乗りかごが戸閉中であれば戸開させ、当該階床で通常運転時よりも長い時間戸開させた後、非常時運転に移行し、
前記非常時運転では、登録された乗場呼びに応答しながら予め設定された避難階に乗りかごを移動させ、既に登録された乗場呼びに基づいて決定した次の着床階に対応する避難困難者情報が記録されていないときには、当該乗場呼びをキャンセルする
ことを特徴とするエレベータ制御方法。
【手続補正２】
【補正対象書類名】明細書
【補正対象項目名】０００６
【補正方法】変更
【補正の内容】
【０００６】
上記目的を達成するための実施形態によればエレベータシステムのエレベータ制御装置は、避難困難者情報記録部と運転制御部とを備える。避難困難者情報記録部は、建物内の各階床のエレベータ乗場に設置された信号受信機のいずれかにおいて、対応するエレベータ乗場にいる利用者の属性情報として、避難時にエレベータの使用を必要とする避難困難者であることを示す属性情報が取得されると、該当階に避難困難者がいることを示す避難困難者情報を記録する。運転制御部は、建物内の異常検知センサで異常が検知されたときに、現在乗りかごがある階床に対応する避難困難者情報が避難困難者情報記録部に記録されていないときには、直ちに非常時運転に移行し、現在乗りかごがある階床に対応する避難困難者情報が避難困難者情報記録部に記録されているときには、乗りかごが戸閉中であれば戸開させ、当該階床で通常運転時よりも長い時間戸開させた後、非常時運転に移行し、非常時運転では、登録された乗場呼びに応答しながら予め設定された避難階に乗りかごを移動させ、既に登録された乗場呼びに基づいて決定した次の着床階に対応する避難困難者情報が避難困難者情報記録部に記録されていないときには、当該乗場呼びをキャンセルする。